(57)【要約】【課題】複数枚の板材を積層してなる耐力壁において、厚みを大幅に増加させることなく、且つ作業者の負担を増加させることなく、簡単に塗り壁を構築でき、しかも塗り付けた壁材が剥離したり落下したりすることを防止できる建物の壁構造を提供する。【解決手段】一対の柱４の互いに対向する面に上下方向に沿って形成された凹状の溝部１１と、左右両端部分が溝部１１内に挿入されるように、一対の柱４の間に順次落し込まれることにより構造壁５を構築する横長の落し込み板１３と、落し込み板１３の表面に形成され、開口側の溝幅が奥側の溝幅よりも狭く設定された複数の狭口溝と、複数の狭口溝内に充填されるように、土等の壁材が構造壁５の表面に直接塗り込まれることにより構築された塗り壁７とを具備する。【選択図】図１
2010242364.tif 000002
【特許請求の範囲】
【請求項１】
軸組の構成要素である少なくとも一対の柱と、
該一対の柱の互いに対向する面に上下方向に沿って形成された凹状の溝部と、
左右両端部分が前記溝部内に挿入されるように、前記一対の柱の間に順次落し込まれることにより、前記一対の柱の間に積層された構造壁を構築する横長の落し込み板と、
それぞれの該落し込み板の表面に形成され、開口側の溝幅が奥側の溝幅よりも狭く設定された複数の狭口溝と、
前記複数の狭口溝内に充填されるように、土等の壁材が、前記構造壁の表面に直接塗り込まれることにより構築された塗り壁と
を具備することを特徴とする建物の壁構造。
【請求項２】
軸組の構成要素である少なくとも一対の柱と、
該一対の柱の互いに対向する面に上下方向に沿って形成された凹状の溝部と、
左右両端部分が前記溝部内に挿入されるように、前記一対の柱の間に順次落し込まれることにより、前記一対の柱の間に積層された構造壁を構築する横長の落し込み板と、
長さが前記構造壁の高さと略一致し、前記落し込み板からなる前記構造壁の裏面において左右方向に複数枚並設されることにより前記一対の柱の間に補強壁を構築する縦板と、
それぞれの該縦板の表面に形成され、開口側の溝幅が奥側の溝幅よりも狭く設定された複数の狭口溝と、
前記複数の狭口溝内に充填されるように、土等の壁材が、前記補強壁の表面に直接塗り込まれることにより構築された塗り壁と
を具備することを特徴とする建物の壁構造。
【請求項３】
軸組の構成要素である少なくとも一対の柱と、
該一対の柱の互いに対向する面に上下方向に沿って形成された凹状の溝部と、
左右両端部分が前記溝部内に挿入されるように、前記一対の柱の間に順次落し込まれることにより、前記一対の柱の間に積層された構造壁を構築する横長の落し込み板と、
長さが前記構造壁の高さと略一致し、前記落し込み板からなる前記構造壁の裏面において左右方向に複数枚並設されることにより前記一対の柱の間に補強壁を構築する縦板と、
それぞれの前記落し込み板の表面に形成され、開口側の溝幅が奥側の溝幅よりも狭く設定された複数の構造壁側狭口溝と、
それぞれの前記縦板の表面に形成され、開口側の溝幅が奥側の溝幅よりも狭く設定された複数の補強壁側狭口溝と、
前記複数の構造壁側狭口溝内に充填されるように、土等の壁材が、前記構造壁の表面に直接塗り込まれることにより構築された構造壁側塗り壁と、
前記複数の補強壁側狭口溝内に充填されるように、土等の壁材が、前記補強壁の表面に直接塗り込まれることにより構築された補強壁側塗り壁と
を具備することを特徴とする建物の壁構造。
【請求項４】
前記壁材に、炭または活性炭が含まれていることを特徴とする請求項１乃至請求項３のいずれか一つに記載の建物の壁構造。
【発明の詳細な説明】
【技術分野】
【０００１】
本発明は、建物の壁構造、特に木造建築物の構築、または歴史的建造物や重要文化財の修復に適した耐力壁構造に関するものである。
【背景技術】
【０００２】
従来、木造建築の壁構造として、軸組における一対の柱の間に、小舞下地（竹や細木を縦横に組んで構成されたもの）や、ラス下地（小幅な板からなるもの）を取付け、これらの上から、あるいは金網状のラスをさらに介して、土や漆喰等を塗り込むことにより、塗り壁を構築したものが知られている。ところが、このような構造の塗り壁では、一般的に剛性が低いことから、例えば地震の横揺れや大風時の強風等、横から受ける力に対しては非常に弱いものとなっていた。
【０００３】
ところで、軸組の剛性を高めるため、一対の柱の間に比較的厚みのある木質の板材を複数枚積層することで、耐力壁を構築するものが提案されている（例えば特許文献１）。具体的に説明すると、一対の柱の互いに対向する面に、板材の左右両端側が嵌入される凹状の溝部を上下方向に沿って形成したものである。つまり、複数枚の板材を凹溝に対して上方から順に落とし込むこと、すなわち、複数の板材を互いに密着させながら積み上げることにより、一対の柱の間に木質の板材からなる壁面を構築するものである。これによれば、横からの力に対する剛性が高められ、耐震性及び耐風性に優れた壁構造となる。しかも、柱間の空間を木質の壁によって閉鎖するため、断熱効果及び蓄熱効果が高められ、ひいては省エネを図るとともに、屋内での快適性を高めることが可能となる。
【発明の概要】
【発明が解決しようとする課題】
【０００４】
しかし、上記のように板材を複数枚積層することで構築された耐力壁では、芯材となる板材の厚さを比較的大きくする必要があるため、その外側に塗り壁を構築しようとすると、板材の厚さに小舞下地やラス下地の厚み、さらには金網状のラスの厚みが加わることとなり、壁全体の厚みがかなり大きくなっていた。特に、壁の両側（例えば屋外側及び屋内側）に塗り壁を構築するものでは、さらに厚みが増加することとなり、「比較的狭い土地に建物を構築する」という現在の日本の状況から考えると、好ましくない状態となっていた。また、積層された板材の上からラス下地等を一枚ずつ取付けるという工程が必要となるため、現場での作業工程が多くなり、作業者の負担を増大させることが懸念されていた。
【０００５】
なお、積層された板材に、土や漆喰等の壁材を直接塗り付けるようにすれば、小舞下地やラス下地が不要となるが、これによれば、塗り付けた壁材が剥離したり落下したりしやすいものとなり、塗り壁の耐久性を低下させるおそれがある。
【０００６】
そこで、本発明は、上記の実状に鑑み、複数枚の板材を積層してなる耐力壁において、厚みを大幅に増加させることなく、且つ作業者の負担や工程を増加させることなく、現場で簡単に塗り壁を構築することができ、しかも塗り付けた壁材が剥離したり落下したりすることを防止できる建物の壁構造の提供を課題とするものである。
【課題を解決するための手段】
【０００７】
本発明にかかる建物の壁構造（第一の発明）は、「軸組の構成要素である少なくとも一対の柱と、
該一対の柱の互いに対向する面に上下方向に沿って形成された凹状の溝部と、
左右両端部分が前記溝部内に挿入されるように、前記一対の柱の間に順次落し込まれることにより、前記一対の柱の間に積層された構造壁を構築する横長の落し込み板と、
それぞれの該落し込み板の表面に形成され、開口側の溝幅が奥側の溝幅よりも狭く設定された複数の狭口溝と、
前記複数の狭口溝内に充填されるように、土等の壁材が、前記構造壁の表面に直接塗り込まれることにより構築された塗り壁と
を具備する」ことを特徴とするものである。
【０００８】
ここで、「落し込み板」の材質としては、木材、集成材、パーティクルボード、ＭＤＦ等のファイバーボード、及び合板等を挙げることができる。なお、製材工場で発生する廃材、森林の手入れのときに発生する間伐材、またはリサイクル材等を用いることも可能であり、これによれば資源の有効利用を図ることができる。また、木以外の材質、例えばパルプ材、アルミニウム等の金属、または合成樹脂から形成することも可能である。また、「狭口溝」は、開口側の溝幅が奥側（溝の奥）の幅よりも狭くなっていれば、断面形状は特に限定されるものではない。ただし、溝の奥に向うほど幅広となるように溝の側面をテーパー状に形成すれば、壁材が塗り込まれた際、狭口溝の奥に向って壁材を円滑に案内することが可能となる。また、「壁材」としては、土及び漆喰等を例示することができる。なお、壁材の上に仕上材を塗りつけたり取付けたりしてもよい。
【０００９】
本発明の建物の壁構造によれば、一対の柱の互いに対向する面に凹状の溝部が形成されており、横長の落し込み板の左右両端部分が溝部内に挿入されるように、一対の柱の間に、複数の落し込み板が順次落し込まれることにより、構造壁が構築されている。このように、一対の柱間に構造壁を構築することにより、軸組における剛性が高められ、地震の横揺れや強風等に対して耐え得ることが可能になる。
【００１０】
また、構造壁の表面、すなわち落し込み板の表面に、土等の壁材が直接塗り込まれている。ここで、落し込み板の表面には複数の狭口溝が形成されているため、構造壁の表面に壁材を塗り込む際、その一部が狭口溝内に入り込むことになる。したがって、壁材が乾燥し固化した状態では、壁材が構造壁に喰いこんだ状態となり、壁材の剥離や落下を防止することが可能になる。
【００１１】
また、本発明にかかる建物の壁構造（第二の発明）は、「軸組の構成要素である少なくとも一対の柱と、
該一対の柱の互いに対向する面に上下方向に沿って形成された凹状の溝部と、
左右両端部分が前記溝部内に挿入されるように、前記一対の柱の間に順次落し込まれることにより、前記一対の柱の間に積層された構造壁を構築する横長の落し込み板と、
長さが前記構造壁の高さと略一致し、前記落し込み板からなる前記構造壁の裏面において左右方向に複数枚並設されることにより前記一対の柱の間に補強壁を構築する縦板と、
それぞれの該縦板の表面に形成され、開口側の溝幅が奥側の溝幅よりも狭く設定された複数の狭口溝と、
前記複数の狭口溝内に充填されるように、土等の壁材が、前記補強壁の表面に直接塗り込まれることにより構築された塗り壁と
を具備する」ことを特徴とするものである。
【００１２】
ここで、「縦板」の材質としては、木材、集成材、パーティクルボード、ＭＤＦ等のファイバーボード、及び合板等を挙げることができる。なお、廃材、間伐材、またはリサイクル材等を用いることも可能である。また、パルプ材、アルミニウム等の金属、または合成樹脂から形成することも可能である。なお、「狭口溝」及び「壁材」の説明については上記発明の場合と同様である。
【００１３】
本発明の建物の壁構造によれば、一対の柱の互いに対向する面に凹状の溝部が形成されており、横長の落し込み板の左右両端部分が溝部内に挿入されるように、一対の柱の間に、複数の落し込み板が順次落し込まれることにより、構造壁が構築されている。さらに、構造壁の裏面には、長さが構造壁の高さと略一致する縦板が左右方向に複数枚並設されることにより、補強壁が構築されている。このため、軸組における剛性を一層高めることができ、例えば筋交いや補強用金具を用いることなく、耐震性及び耐風性を確保することが可能になる。
【００１４】
また、補強壁の表面、すなわち縦板の表面に、土等の壁材が直接塗り込まれている。ここで、縦板の表面には複数の狭口溝が形成されているため、補強壁の表面に壁材を塗り込む際、その一部が狭口溝内に入り込むことになる。したがって、壁材が乾燥し固化した状態では、壁材が補強壁に喰いこんだ状態となり、壁材の剥離や落下を防止することが可能になる。
【００１５】
また、本発明にかかる建物の壁構造（第三の発明）は、「軸組の構成要素である少なくとも一対の柱と、
該一対の柱の互いに対向する面に上下方向に沿って形成された凹状の溝部と、
左右両端部分が前記溝部内に挿入されるように、前記一対の柱の間に順次落し込まれることにより、前記一対の柱の間に積層された構造壁を構築する横長の落し込み板と、
長さが前記構造壁の高さと略一致し、前記落し込み板からなる前記構造壁の裏面において左右方向に複数枚並設されることにより前記一対の柱の間に補強壁を構築する縦板と、
それぞれの前記落し込み板の表面に形成され、開口側の溝幅が奥側の溝幅よりも狭く設定された複数の構造壁側狭口溝と、
それぞれの前記縦板の表面に形成され、開口側の溝幅が奥側の溝幅よりも狭く設定された複数の補強壁側狭口溝と、
前記複数の構造壁側狭口溝内に充填されるように、土等の壁材が、前記構造壁の表面に直接塗り込まれることにより構築された構造壁側塗り壁と、
前記複数の補強壁側狭口溝内に充填されるように、土等の壁材が、前記補強壁の表面に直接塗り込まれることにより構築された補強壁側塗り壁と
を具備する」ことを特徴とするものである。
【００１６】
本発明の建物の壁構造は、上記第一の発明と上記第二の発明とを組み合わせたものである。これによれば、耐震性及び耐風性を確保するとともに、構造壁及び補強壁の表面に壁材を直接塗り込むことで、剥れたり落下したりすることのない、構造壁側塗り壁及び補強壁側塗り壁を構築することができる。
【００１７】
また、本発明の建物の壁構造において、「前記壁材に、炭または活性炭が含まれている」構成とすることができる。なお、炭としては、木炭または竹炭を粉砕した粉炭を例示することができる。
【００１８】
これによれば、構造壁または補強壁に塗り込まれた壁材の中に、炭または活性炭が含まれているため、炭の吸収性を利用して、塗り壁における調湿作用を高めることが可能になり、ひいては結露等を防止することが可能になる。また、炭によって室内の空気が浄化され、シックハウス症候群等を抑制することが可能になる。さらに土等の臭いを抑制することも可能になる。
【発明の効果】
【００１９】
このように、本発明によれば、耐震性及び耐風性に優れた構造壁の壁面に、土等の壁材が直接塗り込まれるため、壁の厚みを大幅に増加させることなく、塗り壁が施された耐力壁を構築することができる。また、構造壁の表面に形成された狭口溝に、壁材の一部が喰いこんだ状態で塗り壁が塗工されるため、壁材の剥離や落下を防止することができる。また、小舞下地やラス下地が不要となるため、現場で簡単に塗り壁を構築することができ、作業者の負担を大幅に軽減することができる。
【図面の簡単な説明】
【００２０】
【図１】本実施形態の建物の壁構造を示す断面図である。
【図２】壁材が塗られる前の壁構造を屋内側から見た斜視図である。
【図３】壁材が塗られる前の壁構造を屋外側から見た斜視図である。
【図４】（ａ）は落し込み板の要部を示す拡大斜視図であり、（ｂ）は縦板の要部を示す拡大斜視図である。
【図５】縦板の変形例をしめす斜視図である。
【発明を実施するための形態】
【００２１】
以下、本発明の一実施形態である建物の壁構造について、図１〜図４に基づき説明する。本例の壁構造１は、軸組２を構成する複数本の柱４と、隣合う一対の柱４の間に構築される構造壁５と、構造壁５の裏面に構築される補強壁６と、構造壁５の表面（屋内側）に塗られた塗り壁７と、補強壁６の表面（屋外側）に塗られた塗り壁８と、を具備して構成されている。各構成について詳細に説明する。
【００２２】
軸組２は、屋根や床等の荷重を支えて基礎（図示しない）に伝えるための骨組であり、水平方向に配設された土台３、土台３の上で鉛直方向に配設された複数本の柱４、及び柱４の上に横架された梁（図示しない）等により構成されている。特に、柱４には、隣合う柱４の互いに対向する面に、凹状の溝部１１が上下方向に沿って形成されている。
【００２３】
構造壁５は、隣合う一対の柱４の間に積層された複数枚の落し込み板１３によって構成されている。つまり、落し込み板１３は、板厚が溝部１１の幅と略一致し、左右方向の長さが、対向する溝部１１の間隔に略一致しており、左右両端部分が溝部１１に挿入されるように、上方から一対の柱４の間に順に落し込まれ積層されている。なお、本例の落し込み板１３は、木材で形成され板厚が約３６ｍｍに設定されている。また、図４（ａ）に示すように、落し込み板１３の上面には、長手方向に沿って連続する嵌合凸部１４が形成され、落し込み板１３の下面には、長手方向に沿って連続する嵌合凹部１５が形成され、積層される下方の落し込み板１３の嵌合凸部１４が、その上方の落し込み板１３の嵌合凹部１５に嵌め込まれることにより、落し込み板１３同士が密着した状態で積み重ねられるようになっている。
【００２４】
また、落し込み板１３の表面には、複数本（例えば６本）の狭口溝１６が長手方向（すなわち水平方向）に沿って形成されている。この狭口溝１６は、開口側の溝幅（図４（ａ）では上下方向の長さ）が奥側の溝幅（溝底の幅）よりも狭くなっている。特に、本例では狭口溝１６の側面がテーパー形状となっており、溝の奥に向うほど幅が広くなっている。なお、本例では溝の深さが６ｍｍで、開口側の溝幅が１５ｍｍ、溝底の幅が２０ｍｍに設定されている。
【００２５】
補強壁６は、図３に示すように、隣合う一対の柱４の間において、左右方向に並設された複数枚の縦板１８によって構成されている。なお、図３では、構造壁５の裏面に対して補強壁６を半分のみ構築した状態を示しているが、実際は、構造壁５の裏面全体（ただし溝部１１への挿入部分は除く）に亘って補強壁６が設けられるようになっている。つまり、縦板１８の長さは構造壁５の高さと略一致しており、複数枚並設した際の左右方向の長さが、隣合う一対の柱４間の内寸と略一致している。なお、本例の縦板１８は木材で形成されており、釘１９（図１参照）によって構造壁５の裏面に打付けられている。
【００２６】
また、図４（ｂ）に示すように、縦板１８の表面（屋外側に現れる面）には、複数本（例えば６本）の狭口溝２０が長手方向（すなわち鉛直方向）に沿って形成されている。この狭口溝２０は、落し込み板１３における狭口溝１６と同一の形状であり、溝の奥に向うほど幅が広くなっている。なお、本例では、縦板１８の板厚が３０ｍｍ、溝の深さが６ｍｍ、開口側の溝幅が１５ｍｍ、溝底の幅が２０ｍｍに設定されている。
【００２７】
一方、塗り壁７は、図１に示すように、土２２、及び粉炭２３を含む壁材２１が、構造壁５の表面、すなわち複数の落し込み板１３の表面に、直接塗り込まれることにより構築されている。ここで、前述したように、落し込み板１３の表面には複数の狭口溝１６が形成されているため、構造壁５の表面に壁材２１を塗り込む際、その一部が狭口溝１６内に入り込むことになる。したがって、壁材２１が乾燥し固化した状態では、その壁材２１は構造壁５に喰いこんだ状態となる。
【００２８】
また、塗り壁８は、壁材２１が、補強壁６の表面、すなわち複数の縦板１８の表面に、直接塗り込まれることにより構築されている。なお、縦板１８の表面にも複数の狭口溝２０が形成されているため、補強壁６の表面に壁材２１を塗り込む際、その一部が狭口溝２０内に入り込むことになり、壁材２１が乾燥し固化した状態では、その壁材２１は補強壁６に喰いこんだ状態となる。
【００２９】
このように、本実施形態の建物の壁構造１によれば、複数枚の落し込み板１３によって構造壁５が構築され、さらに構造壁５の裏面には、複数枚の縦板１８を左右方向に並設することによって補強壁６が構築されているため、軸組２における剛性を大幅に高めることができ、耐震性及び耐風性に対し優れた建物を提供することが可能となる。なお、この壁構造は、建築基準法における耐力壁の規定に適合するものであるとの認定を受けている。
【００３０】
また、本実施形態の建物の壁構造１によれば、構造壁５及び補強壁６の壁面に、壁材２１を直接塗り込むため、壁の厚みを大幅に増加させることなく、塗り壁７，８が施された耐力壁を構築することができる。また、構造壁５及び補強壁６の表面に形成された狭口溝１６，２０に、壁材２１の一部が喰いこんだ状態で塗り壁７，８が塗工されるため、壁材２１の剥離や落下を防止することができる。また、小舞下地やラス下地が不要となるため、現場で簡単に塗り壁７，８を構築することができ、作業者の負担を大幅に軽減することができる。さらに、塗り壁７，８の下地として、木材からなる構造壁５及び補強壁６が存在するため、塗り壁７，８の表面から釘を打ち付けたり木ねじを締め付けたりすることも可能になる。
【００３１】
なお、構造壁５及び補強壁６を構築する、落し込み板１３及び縦板１８には、深さが６ｍｍの狭口溝１６，２０が形成されているが、落し込み板１３の板厚を３６ｍｍとし、縦板１８の板厚を３０ｍｍとすることにより、狭口溝１６，２０を除く板厚がそれぞれ３０ｍｍ及び２４ｍｍとなり、耐力壁の規定に適合するための条件を満たすこととなる。
【００３２】
さらに、本実施形態の建物の壁構造１によれば、構造壁５または補強壁６に塗り込まれた壁材２１の中に、粉炭２３が含まれているため、炭の吸収性を利用して、塗り壁における調湿作用を高めることが可能になり、ひいては室内の結露等を防止することが可能になる。また、粉炭２３によって室内の空気が浄化され、シックハウス症候群等を抑制することが可能になる。
【００３３】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００３４】
すなわち、上記実施形態では、構造壁５及び補強壁６の両壁面に、それぞれ塗り壁７，８を構築するものを示したが、構造壁５の表面のみ、あるいは補強壁６の表面のみに、塗り壁を構築するようにしてもよい。
【００３５】
また、上記実施形態では、狭口溝１６，２０を、落し込み板１３及び縦板１８の長手方向に沿って形成するものを示したが、狭口溝１６，２０の方向は特に限定されるものではなく、落し込み板１３及び縦板１８の短手方向に沿って形成してもよく、斜め方向に形成してもよい。また、狭口溝１６と狭口溝２０とが同一方向を向くように形成してもよい。
【００３６】
さらに、上記実施形態では、縦板１８において、狭口溝２０を、長手方向（すなわち鉛直方向）に連続して形成したものを示したが、図５に示す縦板２５のように、長手方向に沿って、所定長さ（例えば５０ｍｍ）の狭口溝２６を、所定の間隔で形成するようにしてもよい。これによれば、鉛直方向における狭口溝２６同士の間に、溝が形成されていない部分が生じるため、狭口溝２６に喰い込んだ壁材２１が自重によって鉛直方向にずれることを防止することが可能になる。
【００３７】
また、上記実施形態では、土の壁７，８を構築するものを示したが、漆喰の壁を構築する場合も、本発明の構成を適用することができる。また、土壁の上から仕上げ材を塗るようにしてもよく、特に、屋外側となる塗り壁８に対して雨が当たるため、モルタルまたは漆喰を仕上げ材として塗ることが好ましい。
【００３８】
さらに、上記実施形態では、落し込み板１３及び縦板１８として木材から形成されたものを示したが、集成材、パーティクルボード、ファイバーボード、及び合板等の木質材から形成するようにしてもよい。さらに、パルプ材、アルミニウム等の金属、または合成樹脂から形成するようにしてもよい。
【符号の説明】
【００３９】
１  壁構造
２  軸組
４  柱
５  構造壁
６  補強壁
７  塗り壁（構造壁側塗り壁）
８  塗り壁（補強壁側塗り壁）
１１  溝部
１３  落し込み板
１６  狭口溝（構造壁側狭口溝）
１８  縦板
２０  狭口溝（補強壁側狭口溝）
２１  壁材
２２  土
２３  粉炭（炭）
【先行技術文献】
【特許文献】
【００４０】
【特許文献１】特開２０００−１９２５７４号
【図１】
2010242364.tif 000003
【図２】
2010242364.tif 000004
【図３】
2010242364.tif 000005
【図４】
2010242364.tif 000006
【図５】
2010242364.tif 000007
【手続補正書】
【提出日】平成21年6月15日(2009.6.15)
【手続補正１】
【補正対象書類名】特許請求の範囲
【補正対象項目名】全文
【補正方法】変更
【補正の内容】
【特許請求の範囲】
【請求項１】
軸組の構成要素である少なくとも一対の柱と、
該一対の柱の互いに対向する面に上下方向に沿って形成された凹状の溝部と、
左右両端部分が前記溝部内に挿入されるように、前記一対の柱の間に順次落し込まれることにより、前記一対の柱の間に積層された構造壁を構築する横長の落し込み板と、
長さが前記構造壁の高さと略一致し、前記落し込み板からなる前記構造壁の裏面において左右方向に複数枚並設されることにより、前記一対の柱の間に補強壁を構築する縦板と、
それぞれの前記落し込み板の表面に形成され、開口側の溝幅が奥側の溝幅よりも狭く設定された複数の構造壁側狭口溝と、
それぞれの前記縦板の表面に形成され、開口側の溝幅が奥側の溝幅よりも狭く設定された複数の補強壁側狭口溝と、
前記複数の構造壁側狭口溝内に充填されるように、土等の壁材が、前記構造壁の表面に直接塗り込まれることにより、前記一対の柱の間に構築された構造壁側塗り壁と、
前記複数の補強壁側狭口溝内に充填されるように、土等の壁材が、前記補強壁の表面に直接塗り込まれることにより、前記一対の柱の間に構築された補強壁側塗り壁と
を具備することを特徴とする建物の壁構造。